(57)【要約】      （修正有）【課題】良好な植物栽培結果が得られる屋内底潅水組み合わせシステムを提供する。【解決手段】１栽培容器に４培養土を入れ２下部タンク、３吸水紐を組み合わせたシステムである。１栽培容器の底に直径１ｃｍ、長さ１０ｃｍのマイクロクロスを素材とした照る照る坊主状のＣ吸水紐頭部を１栽培容器の底に固定し、２下部タンクにＤ給水紐胴体の端を降ろして底潅水を行う。３吸水紐は細い胴体の外周をビニールテープで巻くことによって水分の蒸発を防止し、４培養土に２下部タンクに貯水した５水を安定して吸い上げる。２下部タンクを不透明なＦケースカバーで覆えば５水にコケも発生せずＧ水量計をつければタンクの水切れを防止できる。【選択図】図１
2013252121.tif 000002
【特許請求の範囲】
【請求項１】
底潅水栽培においての給水紐は耐久性と吸水性のあるマイクロクロスを円柱に巻き、上部をさらに２，３重巻いて胴体の細い照る照る坊主状にし，その上にポリエステルの遮根透水シートを被せて外周と共にビニールテープできつく巻いたものであり、吸い上げ高さ変化による毛細管現象の水分上昇変化によって培養土への水分量を調整し栽培を行う底潅水給水紐水分供給調整法
【請求項２】
底潅水栽培において容器、タンク、給水紐、タンクカバーを組み合わせて使用する。タンクはプラスチック容器で形成し、栽培する植物に応じての水分を貯水確保して、上に栽培容器を載せて底に給水紐頭を固定し、胴体側の端をタンクに垂らして毛細管給水を行い、水の腐敗防止として不透明なタンクカバーで覆い、水量計を付属する底潅水組み合わせシステム。
【請求項３】
栽培容器の培養土表面をマルチで覆うことによって水分蒸発を軽減し液相の確保を行う大容量容器対応のマルチ併用底潅水栽培法
【請求項４】
実生や挿し木に対応する底潅水の活用法として栽培容器にビニールカバーをすることで蒸発がなくなり、培養土全体が一定の気相、液相になり、カバー内部も９０％前後の湿度を保ち、６月の雨季が最適とされる挿し木が季節に関わらず行うことが可能となり、上からの潅水がなくなることで挿し木も実生の種も動くこともなく発根し、発芽率が向上する底潅水実生挿し木法
【発明の詳細な説明】
【技術分野】
【０００１】本発明はシクラメンなどの栽培農家で利用されてきた底潅水技術を一般家庭の栽培に応用するものである。
【背景技術】
【０００２】  日本古来の閉鎖的な家屋から、近年、窓の多い開放的な建築形態となり、屋内栽培においても出窓などを利用した植物栽培が盛んとなりシクラメンや各種の屋内花栽培も普及してきたが、従来のジョウロなどの上から水遣りを行う屋内栽培では毎日の潅水に手間がかかり、水遣りの技術も必要であり、衛生的であるとはいいがたい。シクラメンなどの給水紐底潅水は２０年も以前からあるが、その方法を一般家庭用にそのまま使用することはできず、エブ、アンド、フローの方法もあるが、省力的とは言えず一般家庭用に対応しない。特開２００６−１８０８６７や特開２００８−１８７９０１は過湿による問題が発生し良好な植物栽培容器やシステムが提供されていない。さらに特開２００８−１８７９０１においてはポットの下部にトレイを置いて貯水する方式であり、植物栽培の根は成長することで下部のトレイ内の水に直接触れるに至り、植物は過湿により萎れる。
【先行技術文献】
【特許文献】
【０００３】
【特許文献１】特開  ２００６−１８０８６７号公報
【特許文献２】特開  ２００８−１８７９０１号公報
【非特許文献】
【０００４】
【非特許文献１】愛知県農業試験場  鉢花の底面吸水技術
【非特許文献２】岡山大学  毛管給水紐によるトマト栽培の可能性につい
【発明の概要】
【発明が解決しようとする課題】
【０００５】本発明は省力化を目的として吸水紐を利用する家庭用底潅水栽培システムである。現在、底潅水はシクラメンや花栽培などで生産農家に利用されているが、その底潅水技術を一般家庭用に応用し発展させるものである。底潅水を家庭用に応用するには大掛かりな樋からの給水ではなく、栽培容器の下部にタンクを置いて給水紐の毛細管現象で給水する手段を採用するが、底潅水においての問題は供給水分量の調整ができないことであり、供給水分量が多すぎる結果として培養土の過湿が発生する。特に鉢の底部分は水分が多量で気相が確保できなく、ゆえに栽培容器に必要な毛細管水量を供給することが課題であり、また、水分蒸発の激しい大きな容器、広い表面の容器を底潅水に利用することも課題であり、屋内仕様のインテリア栽培として、美しく、大きく育てるだけでなく、盆栽や盆景のような芸術的な形態での栽培も確立することも考慮するものである。
【課題を解決するための手段】
【０００６】前記の課題を解決するにおいて、水位が変動するタンクからの底潅水給水において培養土に必要水量を供給する方法として耐久性のあるマイクロクロスを円柱に巻き、上部をさらに２，３重巻いて胴体の細長い照る照る坊主状にし，その上にポリエステルの遮根透水シートを被せて外周と共にビニールテープできつく巻いた吸水紐を形成する。現在、シクラメン底潅水では帯状のフェルト２ｃｍ幅、０ｃｍ−１ｃｍで一定水位において毛細管水を吸い上げている。この帯状の給水紐底潅水給水によって多くの種類の花の栽培が可能であるが、過湿が問題となっているとの報告があり、フェルト帯の供給水分量と鉢底部の液相を調べ、これを参考にどの程度の水分量が適切であるか、給水紐で培養土にどのくらいの水分量を供給できるかの実験をおこなった。吸水紐の水分量を測定する方法として、上部に１０ｘ１５ｃｍ，重さ３ｇのマイクロクロスを巻き、その巻いたクロスが毛細管水を吸収する重量を測定した。結果は表１である。この結果、吸い上げ距離１ｃｍでは頭部分は飽和１９ｇから９５％の液相で水を吸収し培養土に供給している。よってクロスが液相９５％と水を吸収すると培養土は気相が確保されず過湿になると判断される。タンクによる供給では２，３週間の水を確保する必要があり、１０ｃｍ程度の高さを持つタンク容量が必要である。このことから水位の変化による吸水紐のマイクロクロスの給水量とその液相も調べた。又、適当な気相を保持しながら栽培可能な水分量はマイクロクロス飽和時１９ｇの６０％−８０％が適切であると仮定し、それを実際の栽培によって証明する。吸水紐が２ｃｍ幅の帯状では吸い上げ距離が１０ｃｍと離れると乾燥時期の水分蒸発によって安定供給の継続ができない。ゆえにマイクロクロスを丸めて胴体の細い照る照る坊主型に形成し外周を覆うことで毛細管水上昇の安定化を図り、固く巻くことによって浸透は速め、この棒状の１ｃｍの形状で吸い上げ距離３ｃｍ−１０ｃｍにあって６０％−８０％の液相を確保することを確認した。またマイクロクロスの頭に吸水した水がピートモス７０％、パーライト３０％の混合培養土に浸透して、培養土底部の液相はどの程度になるかも調べた。５号容器に培養土１０００ｃｃを入れ、その底部５００ｃｃの平均液相を吸い上げ距離１ｃｍ時、５ｃｍ時、１０ｃｍ時で調べた。１ｃｍ時では培養土底部液相は６６％、気相２４％，固相１０％であり、５ｃｍでは液相６３％、気相２７％、固相１０％。１０ｃｍでは液相５８％、気相３２％、固相１０％と変化した。このことから１０ｃｍ時に気相３０％を確保するので太さは１ｃｍで十分であり、吸い上げ距離は１ｃｍ−１０ｃｍとした。過湿になる１ｃｍを使用するのは、苗の成長前は根は上部にあり栽培初期は１ｃｍから始めるが栽培に問題がなく過湿はない。また、シクラメン底潅水栽培では５号容器が限度であり、６号容器以上では表面からの水分蒸発で培養土内は液相不足になる。この対策として蒸発を軽減するマルチを行うことで表面積の大きな容器でも培養土水分確保は可能となることを確認した。マルチングの材料としては、実生時期、挿し木や苗の小さい時期は鉢を覆うビニールマルチであり、成長した苗では中粒の石類を苗の根元に敷設する。小粒では毛細管水が表面に吸いあがり蒸発するためマルチにならず、大粒では孔隙率が大きく蒸発防止にはならない。蒸発防止の確実な方法は表面を密閉することであり、水に浸した水ゴケ類を敷いて、その上に中粒の石でマルチを行えば、ほぼ蒸発は防げる。この方法によって盆栽鉢のような大きな鉢であっても底潅水の使用が可能となる。タンクは透明プラスチック容器でも良いが水の腐敗防止にボードやカバーで覆い日光の直射を避けることは必要である。しかし不透明のカバーを設ける場合、水量計を付けて水切れを防止する必要もある。
【発明の効果】
【０００７】この発明の吸水紐で栽培を行った。実験ではピートモス７０％、パーライト３０％の培養土で５号容器とマルチ併用の８号鉢でノースポール、パンジー、ペチュニア等数種類の花の栽培を行い、マルチ併用で樹木も栽培した。給水紐は直径１ｃｍと統一し吸い上げ距離を１ｃｍ−１０ｃｍ以内とし、液肥をタンクから供給した。植物の種類や毎日の天候によって吸いあがる水分量は変化するがタンク容量が３リットル程度あれば２，３週間の水供給に対応でき、底部は過湿もなく、栽培した花の根は、高い水分量を含む吸水紐に接して絡んだが過湿弊害の発生もなく、ポリエステルの遮根透水シートによる効果は認められる。不透明なタンクカバーをすることで日光を遮断し苔の発生もないが内部が見えないので水量計を付属することは必要である。以上のようなシステムで行う底潅水栽培法は水遣りの技術が不要で平均的に良好な栽培結果が得られる。又ビニールマルチで栽培容器を覆い培養土表面を湿度９０％程度に保つことで９月に９０％以上の確立でバラの挿し木の発根を得ることもできた。花や盆栽、観葉植物は順調に成長するがこの栽培環境が最適であるとは限らない、色々な場所で生育する植物に適合する培養土や肥料配合、供給水分量を選び、データーを蓄積して進化させ、向上させていくことは必要であり、省力化、衛生的、特質を生かした屋内栽培の要求に答え、普及させるに相応しい栽培形態を作り上げ、個人的な好みに対しての欲求にも答える得る材料を提供し、屋内において底潅水栽培を芸術的なレベルまで引き上げ、屋内栽培の発展に繋げるものである。
【発明を実施するための最良の形態】
【０００８】１栽培容器に４培養土を入れ２下部タンク、３吸水紐を組み合わせたシステムである。１栽培容器の底に直径１ｃｍ、長さ１０ｃｍのマイクロクロスを素材とした照る照る坊主状のＣ吸水紐頭部を１栽培容器の底に固定し、２下部タンクにＤ給水紐胴体の端を降ろして底潅水を行う。３吸水紐は細い胴体の外周をビニールテープで巻くことによって水分の蒸発を防止し、４培養土に２下部タンクに貯水した５水を安定して吸い上げる。２下部タンクを不透明なＦケースカバーで覆えば５水にコケも発生せずＧ水量計をつければタンクの水切れを防止できる。
【産業上の利用可能性】
【０００９】本発明の底潅水栽培システムは年間を通した挿し木を行うと同時に屋内インテリアとして底潅水栽培を利用するため、画一的な形状や材質は問わない。タンクと栽培容器を自由に組み合わせ個人の好みによる栽培でインテリア栽培としての構築は可能であり、新しい形態をもつ栽培を目指すことも可能である。底潅水は上から潅水が不要な栽培でありインテリアとして自由な発想で栽培を目指すので、紙や布などの素材を持つ盆景や盆栽の屋内観賞も可能であり、同時に美しく、大きく咲くインドアガーデニングとしての要望にも応じることで、産業上の効果が見込まれ。いままでのジョウロのよる上潅水の水遣りの煩わしさと水遣り技術から解放され、栽培に手間がかからなくなり、病院や介護施設、一般家庭などの高齢者や身体的に不自由な人々にも、屋内での花栽培が出来るので、高齢者に趣味を与え生活に潤いと喜びを与え得ることができ、福祉にも繋がるものである。
【図面の簡単な説明】
【図１】本発明の１実施例の断面図である。テラコッタ風の１栽培容器の底にマイクロクロスで作る胴体の細い照る照る坊主状の３吸水紐を固定する。マイクロクロスのＢ給水紐頭をポリエステルのＥ遮根透水シートで覆い、根が成長して絡んで過湿になるのを防止し、Ｃ給水紐胴体の下部をＡ吸水紐貫通穴から２下部タンクに降ろして５水を毛細管で４培養土に供給する。２下部タンクをＦタンクカバーで覆い、水の腐敗を防ぎ、Ｇ水量計を付けて水切れを防止する。
【図２】本発明の実施例の盆形の断面図である。盆栽鉢に４培養土を入れ、盆栽鉢の容量が大きいので３本の３吸水紐を２下部タンクに垂らす、４培養土を入れ、盆栽を植え付け、古典的な農家を配置する。盆形の１形態である。４培養土表面はＤマルチング材を置いて水分の蒸発を防止する。Ｆタンクカバーでタンクを覆って、水の腐敗を防ぎ、水分供給用の穴をタンクに設け、Ｇ水量計を付けて水切れを防止する。
【図３】本発明の挿し木栽培における実施例断面図である。１栽培容器に挿し木專用の４培養土を入れ、３吸水紐において２下部タンクから５水を供給する。１栽培容器にＤビニールマルチを覆うことによって、保温を行うと同時に湿度を高湿度に保ち、年間を通した挿し木の発根を得る。
【符号の説明】
【００１０】１栽培容器  ２下部タンク  ３吸水紐  ４培養土  ５水  ６挿し木
Ａ  吸水紐貫通穴  Ｂ  吸水紐頭  Ｃ  吸水紐胴体  Ｄ  マルチング材
Ｅ  遮根透水シート  Ｆ  タンクカバー  Ｇ  水量計【００１１】
【表１】
2013252121.tif 000003
【００１２】表１は頭を付けた帯状フェルト紐とマイクロクロス形成の給水紐の吸い上げ水量の比較と、胴体の太さと吸い上げ水量、給水紐の１ｃｍ−１０ｃｍにおいての吸い上げ距離と水量の関係を表したものであり、測定時間は３時間である。胴体の頭の部分はマイクロクロス１０ｃｍｘ１５ｃｍ  乾燥時３ｇを巻き吸水させる。この重量は布の重さを含むものであり、マイクロクロスの飽和重量（水に漬け、それ以上水を吸収しない重さ）は１９ｇであり１９ｇを１００％とする。
【図１】
2013252121.tif 000004
【図２】
2013252121.tif 000005
【図３】
2013252121.tif 000006